(57)【要約】【課題】通常のサービス内容を確保しながら緊急時の操作ミスに対処できるエレベーターの運転装置および運転方法を得る。【解決手段】乗客による戸閉釦の操作を伴う自動運転を行うエレベーターの運転装置において、エレベーターのかご扉を開閉させる戸開閉装置２、かご扉を強制的に閉めたいときに乗客が操作する戸閉釦１、戸開閉装置２からの信号と戸閉釦１からの信号に応じて戸開閉装置２を制御する運転制御手段３を備え、かご扉の戸閉動作の途中における所定過程で戸閉釦１が操作された場合には、運転制御手段３により、かご扉の戸閉動作を中断し、戸開動作を行なわせるようにした。【選択図】図１
2006206257.tif 000002
【特許請求の範囲】
【請求項１】
乗客による戸閉釦の操作を伴う自動運転を行うエレベーターの運転装置において、エレベーターのかご扉を開閉させる戸開閉装置、かご扉を強制的に閉めたいときに乗客が操作する戸閉釦、前記戸開閉装置からの信号と前記戸閉釦からの信号に応じて前記戸開閉装置を制御する運転制御手段を備え、前記かご扉の戸閉動作の途中における所定過程で戸閉釦が操作された場合には、前記運転制御手段により、前記かご扉の戸閉動作を中断し、戸開動作を行なわせるようにしたことを特徴とするエレベーターの運転装置。
【請求項２】
前記かご扉の戸閉動作の初期過程経過後における所定過程で戸閉釦が操作された場合には、前記運転制御手段により、前記かご扉の戸閉動作を中断し、戸開動作を行なわせるようにしたことを特徴とする請求項１に記載のエレベーターの運転装置。
【請求項３】
前記かご扉が全閉状態となっているときは、その全閉状態を維持するようにしたことを特徴とする請求項１または請求項２に記載のエレベーターの運転装置。
【請求項４】
乗客による戸閉釦の操作を伴う自動運転を行うエレベーターの運転方法において、かご扉の戸閉動作が初期過程を経過した後に乗客により前記戸閉釦が操作された場合には、かご扉の戸閉動作を中断し、戸開動作を行なわせるようにしたことを特徴とするエレベーターの運転方法。
【請求項５】
前記かご扉が全閉状態となっているときは、その全閉状態を維持するようにしたことを特徴とする請求項４に記載のエレベーターの運転方法。
【発明の詳細な説明】
【技術分野】
【０００１】
この発明は、エレベーター運転装置および運転方法、特に、乗客による戸閉釦の操作を伴う自動運転を行うエレベーター運転装置および運転方法に関するものである。
【背景技術】
【０００２】
一般に、エレベーターの乗りかごには、かご扉の開閉を強制的に行うための戸開釦および戸閉釦が備えられている。戸開釦と戸閉釦は同じ扉の操作を行う釦のため、通常、並べて配置されている。
このようなエレベーターの場合、戸開釦および戸閉釦の操作において、次のような問題が多く発生している。例えば、エレベーターに乗客が乗り込み、扉が閉まり始めた時、乗場に別の乗客が現れるとかご内にいる乗客は乗場の乗客を乗せてあげようと戸開釦を押す行為がごく普通に行われている。
しかし、この際、操作を誤り戸閉釦の方を押してしまい、乗場の乗客を乗せてあげられなかったり、場合によっては、乗ろうとした乗客を扉で挟んでしまうという問題も発生していた。このため、戸開釦を点滅させ、押し間違いを防ぐような方策が知られている（例えば、特許文献１参照）。
【０００３】
【特許文献１】特開２００３−３３５４６５号公報
【発明の開示】
【発明が解決しようとする課題】
【０００４】
しかし、上記従来技術では、何のために戸開釦が点滅しているか不明であるため、戸閉を促すため戸閉釦が点滅しているのと勘違いされ、必要のない場合に戸開釦が押されてしまい、サービス低下につながる恐れがある。
【０００５】
この発明は、通常のサービス内容を確保しながら緊急時の操作ミスに適切に対処できるエレベーターの運転装置および運転方法を得ようとするものである。
【課題を解決するための手段】
【０００６】
この発明に係るエレベーターの運転装置では、エレベーターのかご扉を開閉させる戸開閉装置、かご扉を強制的に閉めたいときに乗客が操作する戸閉釦、前記戸開閉装置からの信号と前記戸閉釦からの信号に応じて前記戸開閉装置を制御する運転制御手段を備え、前記かご扉の戸閉動作の途中における所定過程で戸閉釦が操作された場合には、前記運転制御手段により、前記かご扉の戸閉動作を中断し、戸開動作を行なわせるようにしたものである。
【０００７】
また、この発明に係るエレベーターの運転方法では、かご扉の戸閉動作が初期過程を経過した後に乗客により前記戸閉釦が操作された場合には、かご扉の戸閉動作を中断し、戸開動作を行なわせるようにしたものである。
【発明の効果】
【０００８】
この発明によれば、通常のサービス内容を確保しながら緊急時の操作ミスに適切に対処することができる。
【発明を実施するための最良の形態】
【０００９】
実施の形態１．
この発明による実施の形態を図１および図２を用いて説明する。図１は、この発明による実施の形態における構成を示すブロック図である。図２は、この発明による実施の形態における動作を示すフローチャートである。
【００１０】
図１において、エレベーターの運転装置は、乗りかごの扉を閉めるための戸閉釦１と、乗りかごの扉の開閉を行う戸開閉装置２と、戸閉釦１と戸開閉装置２からの情報を受け、乗りかごの扉を開けるか閉めるかを判別する運転制御手段３とにより構成されている。
ここで、運転制御手段３は、戸閉釦１と戸開閉装置２からの情報入力を演算処理してかご扉の戸閉動作状態判別処理等を行う中央演算処理ユニット（ＣＰＵ）ならびにメインメモリおよび周辺装置からなる情報処理装置ＰＡと、情報処理装置ＰＡの処理結果出力に応じて戸開閉装置２へ制御出力を導出する制御装置ＣＡとにより構成される。
【００１１】
次に、この発明による実施の形態における動作を図２のフローチャートを用いて説明する。
図中、ステップＳ１において、運転制御手段３は戸開閉装置２からの信号により、かご扉が戸閉動作し始めたかどうかを判別し、戸閉動作をし始めていればステップＳ２へ進む。
ステップＳ２では、運転制御手段３は戸開閉装置２からの信号により、かご扉が全閉していないか判別し、全閉していなければステップＳ３へ進む。全閉していればステップＳ８で通常動作へ復帰する。
【００１２】
ステップＳ３では、運転制御手段３は、戸開閉装置２からの信号により、かご扉が１／３程度戸閉〜全閉直前までの間にあるかどうかを判別し、かご扉が１／３程度戸閉〜全閉直前までの間にあれば、ステップＳ４に進む。
【００１３】
すなわち、戸閉釦１の乗客による押圧操作によって開始されるかご扉の戸閉動作あるいは運転制御手段３による作動指令によって開始されるかご扉の戸閉動作について、かご扉が戸閉動作開始から戸閉全過程の１／３程度の戸閉初期過程経過後であって、かご扉の戸閉状態が全閉直前までの所定閉合過程にあるかどうかを、戸開閉装置２からの信号により、運転制御手段３の情報処理装置ＰＡによって判別し、かご扉が戸閉動作開始から戸閉全過程の１／３程度の戸閉初期過程経過からかご扉の戸閉状態が全閉直前までの所定閉合過程にあれば、ステップＳ４に進むものである。
【００１４】
この所定閉合過程の開始を戸閉全過程の１／３程度の戸閉初期過程経過後としたのは、通常、自動運転中のエレベーターは、戸閉釦１を押さなくても一定の時間が経過すると自動で戸閉を開始するが、この自動戸閉開始時のタイミングに乗客が戸閉させようと戸閉釦を操作する可能性があり、このタイミングの時は通常通り、戸閉動作を行う必要があるため、１／３程度戸閉以降とした。１／３程度戸閉していれば乗客の目にも戸閉し始めていることが容易に分かり、押し間違い以外戸閉釦は押さないと考えられる。
【００１５】
ステップＳ４では、運転制御手段３は、戸閉釦１からの信号および戸開閉装置２からの信号により、１／３程度戸閉〜全閉直前までの間に戸閉釦１が押されたかどうかを情報処理装置ＰＡによって判別し、戸閉釦１が押されていれば、ステップＳ５へ進む。
ステップＳ５では、運転制御手段３は、情報処理装置ＰＡの判別処理結果出力に応じて制御装置ＣＡから制御指令を出力し、かご扉の移動方向を反転させて、戸開動作を行わせる。この際、戸開釦１のランプを点灯させ、戸閉釦１の故障でないことを示すことも可能である。
この後、ステップＳ６へ進む。ステップＳ６では、運転制御手段３は戸閉釦１からの信号により、戸閉釦が押し続けられているか判別し、押し続けられていれば、ステップＳ７で戸開状態を維持する。
【００１６】
この発明では、戸閉途中に戸閉釦１が押された場合には、戸開釦と間違って押されたと判別し、戸閉を中断し、戸開動作を行うこととした。戸閉途中以外に戸閉釦１が押された場合には、通常通り戸閉動作を行う。この方法であれば、乗客は通常と変わらずエレベーターを使用でき、緊急時の操作ミスに対処できる。
この発明により、乗客は通常と同様にエレベーターを利用しながら、緊急時の操作ミスに対処でき、利便性が向上する。
【００１７】
この発明による実施の形態によれば、乗客による戸閉釦の操作を伴う自動運転を行うエレベーターの運転装置において、エレベーターのかご扉を開閉させる戸開閉装置２、かご扉を強制的に閉めたいときに乗客が操作する戸閉釦１、前記戸開閉装置２からの信号と前記戸閉釦１からの信号に応じて前記戸開閉装置２を制御する情報処理装置ＰＡおよび制御装置ＣＡからなる運転制御手段を備え、前記かご扉の戸閉動作の途中における所定過程で戸閉釦１が操作された場合には、前記情報処理装置ＰＡおよび制御装置ＣＡからなる運転制御手段３により、戸開釦と間違って押されたと判別し、前記かご扉の戸閉動作を中断し、戸開動作を行なわせるようにしたので、かご扉の戸閉動作の途中における所定過程で戸閉釦が操作された場合には、戸開動作を行なわせることにより、通常のサービス内容を確保しながら緊急時の操作ミスに適切に対処できるエレベーターの運転装置を得ることができる。
【００１８】
また、この発明による実施の形態によれば、前項の構成において、前記かご扉の戸閉動作の初期過程経過後における所定過程で戸閉釦が操作された場合には、前記情報処理装置ＰＡおよび制御装置ＣＡからなる運転制御手段３により、前記かご扉の戸閉動作を中断し、戸開動作を行なわせるようにしたので、かご扉の戸閉動作での全開状態から初期過程経過後における所定過程で戸閉釦が操作された場合には、戸開動作を行なわせることにより、通常のサービス内容を確保しながら緊急時の操作ミスに適切に対処できるエレベーターの運転装置を得ることができる。
【００１９】
さらに、この発明による実施の形態によれば、前項の構成おいて、前記かご扉が全閉状態となっているときは、その全閉状態を維持するようにしたので、かご扉の戸閉動作の初期過程経過後における所定過程で戸閉釦が操作された場合には、戸開動作を行なわせるとともに、かご扉が全閉状態のときは、その全閉状態を維持することにより、通常のサービス内容を確保しながら緊急時の操作ミスに適切に対処できるエレベーターの運転装置を得ることができる。
【００２０】
そして、この発明による実施の形態によれば、乗客による戸閉釦の操作を伴う自動運転を行うエレベーターの運転方法において、かご扉の戸閉動作が初期過程を経過した後に乗客により前記戸閉釦が操作された場合には、かご扉の戸閉動作を中断し、戸開動作を行なわせるようにしたので、かご扉の戸閉動作での全開状態から初期過程経過後における所定過程で戸閉釦が操作された場合には、戸開動作を行なわせるようにして、通常のサービス内容を確保しながら緊急時の操作ミスに適切に対処できるエレベーターの運転方法を得ることができる。
【００２１】
さらにまた、この発明による実施の形態によれば、前項の構成において、前記かご扉が全閉状態となっているときは、その全閉状態を維持するようにしたので、かご扉の戸閉動作の初期過程経過後における所定過程で戸閉釦が操作された場合には、戸開動作を行なわせるとともに、かご扉が全閉状態のときは、その全閉状態を維持するようにして、通常のサービス内容を確保しながら緊急時の操作ミスに適切に対処できるエレベーターの運転方法を得ることができる。
【図面の簡単な説明】
【００２２】
【図１】この発明による実施の形態における構成を示すブロック図である。
【図２】この発明による実施の形態における動作を示すフローチャートである。
【符号の説明】
【００２３】
１  戸閉釦、２  戸開閉装置、３  運転制御手段。
【図１】
2006206257.tif 000003
【図２】
2006206257.tif 000004